(57)【要約】【課題】大量の画像データの中からプリントしたい画像データを決定する際の作業を簡略化することが可能なプリント装置を提供する。【解決手段】撮像装置６で利用者の顔を撮像し、顔判定部７で利用者の顔の特徴を抽出する。顔判定部７は、この特徴に基づき、記録媒体Ｍから読み取った大量の画像データの各々について、利用者が写っているか否かを判定する。制御部１は、利用者が写っていると判定された画像データを抽出して、表示装置２に表示させる。【選択図】図１
2006237870.tif 000002
【特許請求の範囲】
【請求項１】
画像データに基づく画像のプリントを行うプリント装置であって、
前記画像データを取得する画像データ取得手段と、
利用者の顔を撮像する撮像手段と、
前記撮像手段により得られた前記利用者の顔画像データに基づいて、前記画像データ取得手段により取得された画像データの中から前記利用者が写っている画像データを抽出する画像データ抽出手段と、
前記画像データ抽出手段によって抽出した画像データに基づく画像を表示する画像データ表示手段とを備えるプリント装置。
【発明の詳細な説明】
【技術分野】
【０００１】
本発明は、画像データに基づく画像のプリントを行うプリント装置に関する。
【背景技術】
【０００２】
近年、画像データに基づく画像のプリントを自動で行うプリント装置が、写真を現像するお店やコンビニエンスストア等の店頭に設置され、手軽にプリントを行うことが可能になっている。このようなプリント装置では、利用者が記録媒体に記録されている画像データをプリント装置に入力すると、プリント装置のディスプレイ上にその画像データに基づく画像が表示される。そして、利用者は、複数の画像データの中からプリントしたい画像データを選択してプリント指示を出すことで、選択された画像データに基づく画像がプリントされる仕組みになっている。
【０００３】
ところが、記録媒体に大量の画像データが記録されていると、利用者は大量の画像データの中からプリントしたい画像データを選択しなければならず、この選択作業に多くの時間を要する。自宅等にあるコンピュータにおいて画像データの選択を行う場合には、その選択に時間がかかっても周りに迷惑はかからないが、店頭に設置されたプリント装置においては、他の利用者に迷惑がかかってしまう。
【０００４】
そこで、画像データの良否を判定し、不合格画像データはプリントしないプリントシステム（特許文献１参照）が提案されているが、これは画像データの良否を判定するにとどまっており、プリントされる画像が利用者の意図と反する場合がある。
【０００５】
【特許文献１】特開２００１−２５６４９８号公報
【発明の開示】
【発明が解決しようとする課題】
【０００６】
本発明は上記事情に鑑みてなされたものであり、大量の画像データの中からプリントしたい画像データを決定する際の作業を簡略化することが可能なプリント装置を提供することを目的とする。
【課題を解決するための手段】
【０００７】
本発明のプリント装置は、画像データに基づく画像のプリントを行うプリント装置であって、前記画像データを取得する画像データ取得手段と、利用者の顔を撮像する撮像手段と、前記撮像手段により得られた前記利用者の顔画像データに基づいて、前記画像データ取得手段により取得された画像データの中から前記利用者が写っている画像データを抽出する画像データ抽出手段と、前記画像データ抽出手段によって抽出した画像データに基づく画像を表示する画像データ表示手段とを備える。
【０００８】
この構成により、大量の画像データの中から利用者の写っている画像データだけを抽出して表示させることができる。利用者がプリントを希望する画像は、自身が写っている画像であることがほとんどである。このため、上記のように利用者の写っている画像データだけを抽出して表示させることで、利用者がプリントしたい画像を選択する手間を減らすことができ、大量の画像データの中からプリントしたい画像データを決定する際の作業を簡略化することができる。
【発明の効果】
【０００９】
本発明によれば、大量の画像データの中からプリントしたい画像データを決定する際の作業を簡略化することが可能なプリント装置を提供することができる。
【発明を実施するための最良の形態】
【００１０】
図１は、本発明の実施形態を説明するためのプリント装置の概略構成を示すブロック図である。
図１に示すプリント装置１００は、例えばデジタルカメラやカメラ付き携帯電話等で撮影して得られた画像データに基づく画像のプリントを行うものであり、制御部１（特許請求の範囲の画像データ取得手段、画像データ抽出手段に該当）と、表示装置２（特許請求の範囲の画像データ表示手段に該当）と、操作パネル３と、メディアインタフェース（Ｉ／Ｆ）４と、画像記憶装置５と、撮像装置６（特許請求の範囲の撮像手段に該当）と、顔判定部７と、プリント部８とを有して構成される。プリント装置１００は、店舗に設置されて、不特定多数の利用者によって利用可能な装置である。
【００１１】
制御部１は、所定のプログラムによって動作するプロセッサや、ＲＯＭ、ＲＡＭ等を有して構成されており、プリント装置１００全体を統括制御する。
【００１２】
表示装置２は、ＣＲＴや液晶表示装置等から構成される。表示装置２の画面上には操作パネル３としてタッチパネルが設けられている。
【００１３】
メディアＩ／Ｆ４は、利用者が持参した記録媒体Ｍ（例えば画像データが記録されているメモリカード等）から画像データをプリント装置１００内に取得するためのインタフェースであり、複数種類の記録媒体に対応するとともに、各種の接続形態に対応している。
【００１４】
画像記憶装置５は、例えばハードディスク装置等で構成されており、記録媒体Ｍから取得された画像データが格納される。
【００１５】
撮像装置６は、利用者の顔を撮像するためのものであり、例えばデジタルカメラである。ここで撮像して得られた利用者の顔画像データは制御部１に入力される。
【００１６】
顔判定部７は、撮像装置６から得られた顔画像データから利用者の顔の特徴を抽出し、その特徴を基に、記録媒体Ｍから取得された各画像データに対して利用者の顔が写っているか否かの判定を行い、その判定結果を制御部１に通知する。
【００１７】
プリント部８は、利用者からプリント指示された画像データに基づく画像をプリントする。
【００１８】
以下、プリント装置１００の動作について説明する。
図２は、本発明の実施形態を説明するためのプリント装置の動作フローを示す図である。図３は、本発明の実施形態を説明するためのプリント装置の表示装置に表示される画面の一例を示す図である。
図２に示すように、プリント装置１００の制御部１は、利用者によってメディアＩ／Ｆ４に記録媒体Ｍが装着されると、記録媒体ＭからメディアＩ／Ｆ４を介して画像データを取得し、取得した画像データを画像記憶装置５に記憶すると共に、その画像データに基づく画像の一覧画面を図３に示すように表示装置２に表示させる（ステップＳ１）。このとき、表示装置２には、図３に示すように、「おすすめ」、「自分で選ぶ」、「プリント」、「キャンセル」等のボタンが表示される。
【００１９】
その後、利用者により「おすすめ」ボタンが押されて、「おすすめ機能」（利用者の顔が写っている画像データを自動的に抽出する機能）が実行されると（ステップＳ２：ＹＥＳ）、制御部１は、まず利用者の顔を撮像装置６に撮影させる（ステップＳ３）。そして、記録媒体Ｍから取得した画像データ毎に、利用者の顔が写っているか否かを顔判定部７に判定させる（ステップＳ４）。
【００２０】
制御部１は、顔判定部７からの判定結果を受け、利用者が写っていると判定された画像データを画像記憶装置５から抽出し、その画像データに基づく画像の一覧画面を表示装置２に表示させる（ステップＳ５）。そして、利用者は、自身の写っている複数の画像の中からプリントしたい画像を選択し、「プリント」ボタンを押して該選択した画像のプリント指示を行う。利用者により所定の画像のプリント指示がなされると（ステップＳ６）、制御部１は、プリント指示された画像をプリント部８にプリントさせる（ステップＳ７）。
【００２１】
尚、ステップＳ２で「おすすめ機能」が実行されずに「自分で選ぶ」ボタンが押されて「自分で選ぶ機能」（プリントしたい画像データを自動ではなく手動で選ぶ機能）が実行された場合（ステップＳ２：ＮＯ）、制御部１は、利用者から手動で選択された画像データに基づく画像を、利用者からのプリント指示があった場合（ステップＳ６：ＹＥＳ）にプリント部８にプリントさせる（ステップＳ７）。
【００２２】
このように、プリント装置１００において「おすすめ機能」を実行した場合には、記録媒体Ｍに記録されていた画像データの中から、利用者が写っている画像データだけが自動的に抽出され、その画像データに基づく画像の一覧が表示装置２に表示される。このため、利用者は、自身の写っている画像を手動で探すといった作業を行うことなく、プリントしたい画像を短時間で決定することができる。特に、記録媒体Ｍに画像データが大量に記録されている場合には、プリントしたい画像の選択作業に要する時間を大幅に短縮することができ、店頭において周囲の人に迷惑をかけることなく、プリントを行うことができるようになる。
【００２３】
又、この「おすすめ機能」は、利用者が自身の顔を撮像装置６によって撮影してもらうだけで実行可能なため、機械の苦手なお年寄りや子供でも簡単に利用することができる。
【図面の簡単な説明】
【００２４】
【図１】本発明の実施形態を説明するためのプリント装置の概略構成を示すブロック図
【図２】本発明の実施形態を説明するためのプリント装置の動作フローを示す図
【図３】本発明の実施形態を説明するためのプリント装置の表示装置に表示される画面の一例を示す図
【符号の説明】
【００２５】
１  制御部
２  表示装置
３  操作パネル
４  メディアインタフェース部
５  画像記憶装置
６  撮像装置
７  顔判定部
８  プリント部
１００  プリント装置
【図１】
2006237870.tif 000003
【図２】
2006237870.tif 000004
【図３】
2006237870.tif 000005